(57)【特許請求の範囲】
【請求項１】
所定長さの板材が矩形筒状に折曲され、その一辺の中央部が長手方向に開口した形状をなし、その開口部を上にして床上に載置される本体フレームと、前記本体フレームの中を摺動可能に設けられた１対の受け皿と、機器を支持すると共に前記受け皿の上を移動可能に配置された１対の機器支持部と、よりなる免震装置において、
前記受け皿は、矩形状の板材を両側に、Ｕ字状に形成した複数枚の板材を内部にして前記本体フレームの長手方向に平行に積層して一体化し、そのＵ字状の底部に中窪みの緩い傾斜面を形成し、該斜面の角度・距離を適宜に設定することにより所望の免震特性とすることを特徴とする免震装置。
【請求項２】
前記受け皿の底面に低摩擦材のライナーを付設したことを特徴とする請求項１記載の免震装置。
【請求項３】
前記機器支持部は、機器設置高さを調整可能な調整機能を有し、且つその調整用レバーを取り外し可能としたことを特徴とする請求項１記載の免震装置。
【請求項４】
前記機器支持部の前記受け皿の傾斜面上を移動可能な手段は、回転可能に軸支されたローラ、または回転可能な複数のニードル、または先端が曲面に形成された突起のうちの何れかであることを特徴とする請求項１記載の免震装置。
【請求項５】
前記本体フレームの底面に低摩擦材のライナーを付設したことを特徴とする請求項１記載の免震装置。
【請求項６】
前記本体フレームの先端を上部に屈曲させ、床面等の凹凸による可動障害を防止したことを特徴とする請求項１記載の免震装置。
【請求項７】
前記受け皿の前部及び後部に、前記本体フレーム内の塵埃を取り除くための金属又は樹脂によるスクレーパーを設けたことを特徴とする請求項１記載の免震装置。
【請求項８】
前記本体フレームが２重化されていることを特徴とする請求項１記載の免震装置。
【発明の詳細な説明】
【０００１】
【発明の属する技術分野】
本発明は免震装置に関する。詳しくは、床の上に載置される自動販売機や収納キャビネット等の横幅が奥行きより大きい箱状の機器に大きな地震力が作用したときでも機器が転倒するのを防止することができる免震装置に関する。
【０００２】
近年、大地震により種々の設備が転倒して壊れたり、あるいは機器の転倒により人体や周辺機器に被害が加えられている。このため、機器の転倒を防ぎ人命や周辺機器への安全性を確保するために、確実な転倒防止技術が要求されている。
【０００３】
【従来の技術】
図８は先に提案した特願平１０−３２３７２１号に記載された免震装置であある。これは同図に示すように、１対の機器支持部２，２′と、１対の受け皿３，３′と、本体フレーム４とよりなる。そして、本体フレーム４は断面が矩形筒状で、その一辺の長手方向に機器支持部２，２′が通過でき、且つ機器支持部２，２′が脱出出来ない幅を有する開口が設けられている。
【０００４】
また、機器支持部２，２′は、機器支持部本体５にローラ支持軸７により軸支されたローラ６と、機器９への取り付け用のボルト８とが設けられている。また、受け皿３，３′は、矩形状でその幅は本体フレーム４の中を摺動可能な寸法となっており、その底部には中央から左右に上り勾配となる緩い傾斜面３ａと、外周に壁部３ｂが形成されて皿状となっている。
【０００５】
このように構成された免震装置１は、機器９の左右にそれぞれ１台づつ取り付けられる。取り付けには機器支持部２，２′の機器取り付け用ボルト８を用いて機器９の底部に取り付けられる。そして、地震があった場合、床上に載置された本体フレーム４が地震の震動に応じて移動する。その際、受け皿３も本体フレーム１４と共に移動する。しかし機器支持部２，２′はそのローラ６が受け皿３の傾斜面３ａ上を転動するため受け皿１３に追従して動くことはなく、従って機器は質量にもとづく静止慣性力により静止したままである。そして震動が収まるとローラ６は傾斜面３ａを転動して中央部に復帰する。これにより機器９も元の位置に復帰する。
【０００６】
さらに地震が大きくなり、受け皿３の壁３ｂが機器支持部本体５に当接すると、受け皿３は停止し、本体フレーム４が床と共に移動するが受け皿３および機器は静止したままである。この場合は地震が収まっても受け皿３は元の位置に戻るとは限らない。このようにして地震があっても機器は静止した状態を維持するため転倒することはない。
【０００７】
【発明が解決しようとする課題】
上記従来の免震装置においては、機器本体の物理的条件（重心位置・支持部の取付け位置・設置場所等）が一定の条件の場合に免震性能を発揮するものであるため、本体機器の物理的条件及び設置条件が異なる場合に免震性能が異なるという問題がある。
【０００８】
本発明は、上記従来の問題点に鑑み、本体機器の物理的条件及び設置条件が異なる場合においても容易に対応可能な免震装置を実現することを目的とする。
【０００９】
【課題を解決するための手段】
本発明の請求項１の発明は、所定長さの板材が矩形筒状に折曲され、その一辺の中央部が長手方向に開口した形状をなし、その開口部を上にして床上に載置される本体フレームと、前記本体フレームの中を摺動可能に設けられた１対の受け皿と、機器を支持すると共に前記受け皿の上を移動可能に配置された１対の機器支持部と、よりなる免震装置において、前記受け皿は、矩形状の板材を両側に、Ｕ字状に形成した複数枚の板材を内部にして前記本体フレームの長手方向に平行に積層して一体化し、そのＵ字状の底部に中窪みの緩い傾斜面を形成し、該傾斜面の角度・距離を適宜に設定することにより所望の免震特性とすることを特徴とする。
【００１０】
この構成を採ることにより、受け皿の中窪みの緩い傾斜面の角度、傾斜面の距離を任意に設定するか、または傾斜面の角度を階段的に変化させて形成することにより、機器本体の重心位置・設置場所に最適な免震特性にコントロールを行い、且つ板状のものを積層させる構造により安価に受け皿を構成することができる。
【００１１】
また、請求項２の発明は、前記受け皿の底面に低摩擦材のライナーを付設したことを特徴とする。この構成を採ることにより、本体フレームと受け皿の相対移動を円滑にすることができる。また、請求項３の発明は、前記機器支持部は、機器設置高さを調整可能な調整機能を有し、且つその調整用レバーを取外し可能としたことを特徴とする。この構成を採ることにより床面の凹凸を吸収し、且つ、その調整用レバーを取外し式にする事により作業性及び美観を向上させることができる。
【００１２】
また、請求項４の発明は、前記機器支持部の前記受け皿の傾斜面上を移動可能な手段は、断面逆Ｕ字形に折曲形成された板金の機器支持部本体と、該機器支持部本体に回転可能に軸支されたローラ、または回転可能な複数のニードル、または先端が曲面に形成された突起のうちの何れかであることを特徴とする。この構成を採ることにより、機器支持部と受け皿の相対移動を円滑にし、且つ機器支持部本体を板金で形成することにより軽量・省スペース化させることができる。
【００１３】
また、請求項５の発明は、前記本体フレームの底面に低摩擦材のライナーを付設したことを特徴とする。また、請求項６の発明は、前記本体フレームの先端を上部に屈曲させ、床面等の凹凸による可動障害を防止したことを特徴とする。この構成により大きな地震に対して本体フレームを辷らすことにより機器の転倒を防止することができる。
【００１４】
また、請求項７の発明は、前記受け皿の前部及び後部に、前記本体フレーム内の塵埃を取り除くための金属又は樹脂によるスクレーパーを設けたことを特徴とする。この構成を採ることにより受け皿移動時に本体フレーム内の粉塵・ゴミ等を取り除き、受け皿の移動を容易にすることができる。また、請求項８の発明は、前記本体フレームが２重化されていることを特徴とする。この構成をとることにより受け皿の移動範囲を増やすことができる。
【００１５】
【発明の実施の形態】
図１は本発明の免震機構の第１の実施の形態を示す図で、（ａ）は平面図、（ｂ）は（ａ）図のｂ−ｂ線における断面図である。本実施の形態は、本体フレーム２１と、１対の機器支持部２２，２２と、１対の受け皿２３，２３とよりなる。そして、本体フレーム２１は断面が矩形筒状で、その一辺の長手方向に機器支持部２２が通過でき、且つ機器支持部２２が脱出できない幅を有する開口２４が設けられている。また、本体フレーム２１の長さは使用する機器の短辺の長さに相当する長さであり、その中間所定位置にはストッパー２５が固設されている。また、本体フレーム２１の先端には化粧板２６が取付けられている。
【００１６】
また、機器支持部２２は、図２（ａ）（ｂ）に示すように、機器支持部本体２７と、ローラ２８及びローラ支持軸２９と機器支持用のボルト３０とよりなり、前記機器支持部本体２７は断面逆Ｕ字状をなし、中央下部にローラ２８を収容し、ローラ支持軸２９により回転可能に支持している。また、上部には機器支持用のボルト３０が回転可能にクリップ３１により取り付けられている。
【００１７】
なお、該ボルト３０は上部からの荷重を受けるための段差部３０ａが設けられている。またボルト３０の下部には該ボルトを回転させるために調整用レバーのピンを係合するための孔３０ｂが穿設されている。そして、ボルト３０を機器に取り付けてその高さを調整するときには図２（ｃ）に示すようなピンスパナ３２を調整用レバーとして用いて回転させることができる。
【００１８】
また、受け皿２３は図３（ａ）（ｂ）に示すように、矩形状の板材を両側に、Ｕ字状に形成された複数枚の板材を内側にして本体フレーム２１の長手方向に平行に積層してボルトまたはリベット３３により一体化した板金積層構造であり、その幅（積層厚さ）は本体フレーム２１の中を摺動可能な寸法となっている。そして、Ｕ字状の底部には中窪みの緩い傾斜面２３ａが形成されている。
【００１９】
なお、この傾斜面２３ａは単一の傾斜面でも、または角度を階段的に変化させた傾斜面でもよい。また前後のストローク長を変化させても良い。また受け皿２３の下面には低摩擦材のライナー３４が接着またはねじ止めで固着されている。
【００２０】
このように構成された本実施の形態は、自動販売機等の機器の底部左右にそれぞれ１台づつ取り付けられる。取り付けには図１の如く、機器支持部２２の機器取り付け用のボルト３０を用いて機器３５の底部に取り付けられる。この場合、機器支持部２２の機器支持部本体２７は機器３５に取り付けられたボルト３０に対して回動可能であるので、本体フレーム２１内を移動する場合に無理を生ずることはない。
【００２１】
このようにして機器３５に取り付けられた本実施の形態は、地震があった場合、床上に載置された本体フレーム２１が地震の震動に応じて移動する。そして受け皿２３も本体フレーム２１と共に移動する。しかし機器支持部２２はそのローラ２８が受け皿２３の傾斜面２３ａ上を転動するため受け皿２３に追従して動くことはなく、従って機器３５は質量にもとづく静止慣性力により静止したままである。そして震動が収まるとローラ２８は傾斜面２３ａを転動して中央部に復帰する。これにより機器３５も元の位置に復帰する。
【００２２】
さらに地震が大きくなり、受け皿２３の壁２３ｂが機器支持部本体２７に当接すると、受け皿２３は停止し、下面のライナー３４と本体フレーム２１との間で辷りが発生し、本体フレーム２１が床と共に移動するが受け皿２３および機器３５は静止したままである。この場合は地震が収まっても受け皿２３は元の位置に戻るとは限らない。
【００２３】
さらに、地震が前記よりも大きくなり、受け皿２３がストッパー２５に衝突するような場合は、本体フレーム２１と床との間に辷りを生ずることになる。この場合は地震が収まっても本体フレーム２１及び機器３５は元の位置に戻るとはない。なお、機器３５が地震により跳ね上がった場合でも機器支持部本体２７より本体フレーム２１の開口幅が狭いため機器支持部本体２７が本体フレーム２１から離脱することはない。
【００２４】
以上の如く本実施の形態は、地震があっても機器は静止した状態を維持するため転倒することはない。また本実施の形態は、受け皿を板金の積層構造としたことにより、中窪みの緩い傾斜面の角度、傾斜面の距離を任意に設定し形成することが容易であり、機器本体の重心位置・設置場所に最適な免震特性にコントロールすることができる。なお、前記機器支持部２２のローラ２８は、複数のニードル又は先端が曲面に形成された突起に代えることもできる。
【００２５】
図４は本発明の第２の実施の形態における本体フレームを示す図である。本実施の形態は本体フレーム以外は第１の実施の形態と同様であり、異なるところは、本体フレーム２１の端部の下面を上方に屈曲させ傾斜面２１ａを形成したことである。このように構成された本実施の形態は、本体フレーム２１の移動時に地面の凹凸を傾斜面２１ａにより乗り越えて移動を円滑にすることができる。
【００２６】
図５は本発明の第３の実施の形態における本体フレームを示す図である。本実施の形態は本体フレーム以外は第１の実施の形態と同様であり、異なるところは、本体フレーム２１の下面に低摩擦材のライナー３６を設けたことである。このように構成された本実施の形態は、床面と本体フレーム２１の相対移動を円滑にすることができ、大きな地震に対しても機器の転倒を防止することができる。
【００２７】
図６は本発明の第４の実施の形態における受け皿を示す図である。本実施の形態は受け皿以外は第１の実施の形態と同様であり、異なるところは、受け皿２３の前部及び後部に金属又は樹脂製のスクレーパー３７を設けたことである。このように構成された本実施の形態は、受け皿２３の移動時に本体フレーム２１内の粉塵・ゴミ等を取り除き、受け皿２３と本体フレーム２１の接触環境を良好に保つことができる。
【００２８】
図７は本発明の第５の実施の形態における本体フレームを示す図である。本実施の形態は本体フレーム以外は第１の実施の形態と同様であり、異なるところは、本体フレーム２１を２重化し、外側本体フレーム２１Ａの中に内側本体フレーム２１Ｂを摺動可能に設けたことである。このように構成された本実施の形態は、受け皿２３の本体フレーム２１内での移動量を増やし、より大きい地震に対応することができる。
【００２９】
【発明の効果】
本発明の免震装置に依れば、機器本体の重心位置・支持部取付け位置等の物理的構造及び設置場所等の条件に左右されるされることなく、様々な構造体・設置場所へ適用が可能となると共に、免震方向のコントロールが可能となる。また受け皿を板金の積層構造とすることにより、安価に製造することができる。
【図面の簡単な説明】
【図１】本発明の第１の実施の形態を示す図で、（ａ）は平面図、（ｂ）は（ａ）図のｂ−ｂ線における断面図である。
【図２】本発明の第１の実施の形態における機器支持部を示す図で、（ａ）は縦断面図、（ｂ）は（ａ）図のｂ−ｂ線における断面図、（ｃ）はピンスパナを示す。
【図３】本発明の第１の実施の形態における受け皿を示す図で、（ａ）は縦断面図、（ｂ）は（ａ）図のＺ矢視図である。
【図４】本発明の第２の実施の形態における本体フレームを示す図である。
【図５】本発明の第３の実施の形態における本体フレームを示す図である。
【図６】本発明の第４の実施の形態における受け皿を示す図である。
【図７】本発明の第５の実施の形態における本体フレームを示す図で、（ａ）は縦断面図、（ｂ）は（ａ）図のＺ矢視図である。
【図８】従来の免震装置を示す図である。
【符号の説明】
２０…免震装置
２１…本体フレーム
２１ａ…傾斜面
２１Ａ…外側本体フレーム
２１Ｂ…内側本体フレーム
２２…機器支持部
２３…受け皿
２３ａ…傾斜面
２４…開口
２５…ストッパー
２６…化粧板
２７…機器支持部本体
２８…ローラ
２９…ローラ支持軸
３０…機器支持用ボルト
３０ａ…段差
３０ｂ…孔
３１…クリップ
３２…ピンスパナ
３３…ボルト又はリベット
３４，３６…ライナー
３５…機器
３７…スクレーパー
【図１】
0004285876.tif 000002
【図２】
0004285876.tif 000003
【図３】
0004285876.tif 000004
【図４】
0004285876.tif 000005
【図５】
0004285876.tif 000006
【図６】
0004285876.tif 000007
【図７】
0004285876.tif 000008
【図８】
0004285876.tif 000009